(57)【特許請求の範囲】
【請求項１】
中心線で線対称な非吸水性のシートであって、前記中心線上には、被装着者の頭部が辛うじて通る大きさの引っ張れば伸びて薄くなる貫通孔と、前記貫通孔から第１距離離れるとともに、前記中心線と略直交する方向に伸びる一段高い第１土手部とが形成され、前記貫通孔を挟んだ両側のそれぞれ第２距離離れた位置には、前記第１土手部の両脇に繋がる第２土手部がそれぞれ形成され、その形状の前記貫通孔に被装着者の頭部を通して前記第１土手部を被装着者の背中に配置し、前記第２土手部を被装着者の両肩に配置すると、被装着者の背中の上部と両肩と胸部とを覆う大きさとなり、その状態の被装着者の胸部に垂れるシート部分を持ち上げて前記貫通孔の周縁が被装着者のうなじから耳の下を通って額に至る顔周りの肌に密着するように、前記貫通孔から被装着者の顔を露出させて前屈みになると、被装着者の額から垂れる前記シート部分が、顔濡れ防止用のバリアーとなり、背中に配置した前記第１土手部と、両肩に配置した前記第２土手部とで囲まれる前記貫通孔周りのシート部分が、洗髪した洗浄水の流路となることを特徴とする洗髪用シート。
【請求項２】
被装着者のうなじから耳の下を通る前記貫通孔の周縁部分に複数の切れ目が設けられている、請求項１に記載の洗髪用シート。
【請求項３】
前記シートは、少なくとも三つの角部の真中の角部を通る中心線で線対称であり、前記中心線上の真中の角部を端から前記貫通孔に向けて巻くことにより、或いは、前記角部に形成した複数の波状の皺を前記貫通孔に向けて寄せることにより、前記第１土手部が形成されている請求項１又は２に記載の洗髪用シート。
【請求項４】
前記第２土手部は、前記中心線と交差する方向の、前記真中の角部に隣接する両側の角部を互いに連結することにより、形成されている請求項３に記載の洗髪用シート。
【請求項５】
被装着者のうなじから耳の下を通って額に至る顔周りの肌に密着する前記貫通孔の周縁部分と、前記第１土手部と第２土手部とで形成されるシート部分とは、厚みの異なる材質で形成されている請求項１から４の何れかに記載の洗髪用シート。
【発明の詳細な説明】
【技術分野】
【０００１】
本発明は、洗面台で洗髪するときに、衣服や顔に水が掛からないようにする洗髪用シートに関する。
【背景技術】
【０００２】
洗面化粧台で洗髪する時に問題になるのは、服や袖が濡れることである。この問題に対しては、例えば下記特許文献に記載の発明が知られている。
【０００３】
特許文献１に記載の発明は、理容室で仰向けになったお客様の顔に被せるものであるため、洗面台で前屈みになって洗髪するときには、使用できない問題がある。
【０００４】
また、特許文献２、３に記載の発明は、洗髪のときに、首や衣服をカバーするものなので、衣服が濡れる心配はないが、前屈みになって洗髪したときに、額や首筋に洗浄水が垂れる問題がある。
【０００５】
顔や首筋に洗浄水が垂れても、首にタオルを巻き付けたり洗顔したりすれば済むが、目を患っている場合や化粧をした後の顔に水が掛かるのは、避けたいものである。しかし、下記特許文献に記載の発明は、何れも衣服と顔のどちらか一方を保護するものなので、これらの双方を同時に保護するものは、未だ開発されていない。
【先行技術文献】
【特許文献】
【０００６】
【特許文献１】特開２００６−３２０６６３号公報
【特許文献２】特開２００６−２８０８７８号公報
【特許文献３】特開２００２−０８５１３３号公報
【発明の概要】
【発明が解決しようとする課題】
【０００７】
本発明は、こうした背景から、服を着たまま前屈みになって洗髪するときに、衣服や顔に水が掛からない洗髪用シートを提供することを課題とする。
【課題を解決するための手段】
【０００８】
図１は、本発明に係る洗髪用シートを説明する簡易モデルの平面図である。この図において、洗髪用シート１は、中心線ＣＬで線対称な非吸水性のシートであって、その中心線ＣＬ上には、被装着者の頭部が辛うじて通る大きさの、引っ張れば伸びて薄くなる貫通孔２と、該貫通孔２から第１距離Ｌ１離れ、前記中心線ＣＬと略直交する方向に伸びる、一段高い第１土手部３とが形成されている。さらに、貫通孔２を挟んだ両サイドの、それぞれ第２距離Ｌ２離れた位置には、第１土手部３の両脇に繋がる第２土手部４がそれぞれ形成されている。そうした形状の貫通孔２に被装着者の頭部を通して第１土手部３を被装着者の背中に配置し、第２土手部４を被装着者の両肩に配置すると、洗髪用シート１が、被装着者の背中の上部と両肩と胸部とを覆う大きさとなる。さらに、その状態の被装着者の胸部に垂れるシート部分５を持ち上げて、貫通孔２の周縁が被装着者のうなじから耳の下を通って額に至る顔周りに位置するように露出させると、貫通孔２の周縁がうなじから耳の下を通って額に至る顔周りの肌に密着する。その状態で前屈みになると、被装着者の額から垂れ下がるシート部分５が、顔濡れ防止用のバリアーとなり、背中に配置した第１土手部３と、両肩に配置した第２土手部４とで囲まれる貫通孔２周りのシート部分６が、洗髪した洗浄水の流路となることを特徴とする。
【０００９】
このシート１は、非吸水性の素材で構成され、特に貫通孔２の部分を、手で引っ張れば伸びて薄くなる素材で構成している。具体的には、ポリエチレン、ポリプロピレン、ナイロン等の薄手の素材でシート全体を形成している。これに代えて、貫通孔２を含むその周縁部分だけを薄手のポリエチレンシートやゴム製の薄いシートで構成し、それを大きめの貫通孔を有する厚手の防水シートの上に、それらの貫通孔を同軸上に配置して貼り合わせても良い。
【００１０】
ポリエチレンシートは、手で引っ張れば、５倍以上は伸びるから、このシートの中心線ＣＬ上に頭部が辛うじて通る貫通孔２を開け、この貫通孔２に頭部を通してから、該貫通孔２から顔を露出させるには、おおよそ０．０５ｍｍ以下の薄さのシートが好ましい。また、顔を露出させることによって伸びた貫通孔２は、薄くなって肌に密着するが、そのときの密着性と締め付け力を考慮すると、女性用では、例えば０．０３ｍｍから０．０１５ｍｍの薄さのシートが好ましい。
【００１１】
この素材で洗髪用シート１を構成するときは、一辺が略９０ｃｍの四角形のシートから例えば、図２（ａ）の菱形、図２（ｂ）の五角形、その底辺を円弧にした図２（ｃ）の形状のものを形成する。これらは、平面視において、隣接する三つの角部Ｋ１、Ｋ２，Ｋ３の真中の角部Ｋ２を通る仮想上の中心線ＣＬで線対称である。ただし、これらの形状は一例であって、図２の形状には限定されない。また、各角部Ｋ１〜Ｋ３は、直角である必要はなく、円弧であっても良い。特に両側の角部Ｋ１，Ｋ３は、帯状に左右方向に飛び出た形状であるのが好ましい。また、これらのシートの中心線ＣＬの下部、具体的には、左右の角部Ｋ１，Ｋ３を通る対角線より下側に被装着者の頭部が辛うじて通る大きさの貫通孔２を形成しておく。
【００１２】
素材が０．０３ｍｍの厚みのポリエチレンシートであれば、引っ張れば５倍以上は伸びるから、例えば周囲長が略５３ｃｍの頭部に対しては、貫通孔２の周囲長を略３８ｃｍに形成しておく。そうすれば、小さな貫通孔２に頭部を通すことができる。また、シートの厚みが厚くなれば、貫通孔２の大きさを大きくすれば良い。例えば洗髪用シートを０．０４ｍｍのポリエチレンシートで形成する場合は、貫通孔２の周囲長を略４０ｃｍに広げておけば、０．０３ｍｍの薄さと略同程度の抵抗でもって小さな貫通孔２に頭部を通すことができる。また、この貫通孔２は、例えば円形若しくは長円形であるのが好ましい。そうすれば、貫通孔２から顔を露出させた時に、貫通孔２の周縁が伸びて、被装着者のうなじから耳の下を通って額に至る顔周りの肌に密着させることができる。この密着により、洗髪したときに、額や首筋に垂れる洗浄水を貫通孔２の周縁で遮断することができる。
【００１３】
続いて図３に示すように、隣接する三つの角部Ｋ１〜Ｋ３の真中の角部Ｋ２を、端から貫通孔２に向けて緩く巻くことにより、一段高い、ふんわりとした第１土手部３を形成する。これに代えて、角部Ｋ２に波状の皺を複数形成し、それらの皺を貫通孔２に向けて寄せることにより、緩く束ねた第１土手部３を形成しても良い。こうして形成した第１土手部３を、後述の紐８や粘着テープによってふんわりと止めておく。このとき、第１土手部３と貫通孔２との間には、略２０ｃｍ程度の第１距離Ｌ１を残しておく。このスペースがうなじから両肩に続く背中の上部を覆う部分となる。
【００１４】
続いて、中心線ＣＬに対し、線対称位置にある両角部Ｋ１、Ｋ３を互いに連結することによって、両角部Ｋ１、Ｋ３を立ち上げる。これにより、図４に示すように、第１土手部３と繋がった、一段高い第２土手部４を形成する。この場合の連結は、両角部Ｋ１、Ｋ３を粘着テープ等で連結しても良いし、図４に示すように、両角部Ｋ１、Ｋ３に紐７を取り付けて、その紐７でもって両角部Ｋ１，Ｋ３を結び合わせても良い。
【００１５】
ただし、両角部Ｋ１、Ｋ３は、貫通孔２に被装着者の頭部を通した後に結んでも良いし先に結んでも良い。こうして形成された洗髪用シート１を装着するときは、まず貫通孔２に頭部を通して被り、続いて第１土手部３を被装着者の背中に配置し、第２土手部４を被装着者の両肩に配置する。すると、図８〜図１０に示すように、洗髪用シート１が被装着者の背中の上部と両肩と胸部とを覆う大きさとなる。ただし、図８〜図１０では、両角部Ｋ１，Ｋ３を紐７で連結する前の状態を示している。
【００１６】
続いて、被装着者の前側に垂れるシート部分５を持ち上げて、図１１に示すように貫通孔２から被装着者の顔を露出させる。このとき、貫通孔２の周縁は、引き伸ばされて被装着者のうなじから耳の下を通って額に至る顔周りの肌に張り付くように密着する。そうすると、貫通孔２の周縁を境にして、頭髪の領域と、うなじから額に至る顔の領域とに分かれ、しかも、伸びた貫通孔２の収縮力と弾力でもって、その周縁が適度な締め付け力でもって顔回りの肌に密着するから、洗浄水が顔や首筋に垂れるのを防止する。そうした状態で前屈みになって洗髪すると、被装着者の額から垂れるシート部分５が、顔濡れ防止用のバリアーとなり、背中に位置する第１土手部３と、それに続く両肩に位置する第２土手部４とで囲まれる貫通孔２周りのシート部分６が、洗髪した洗浄水の流路となる。
【００１７】
さらに、被装着者の両腕は、洗髪のために持ち上げられるから、両腕に乗った第２土手部４は、両腕で支えられて、シート部分６より一段高い第１土手部３と連なった第２土手部４となる。これにより、洗髪した洗浄水は、顔や服、二の腕には掛からずに、シート部分６を伝って流れ落ちる。
また、バリアーとなるシート部分５を長くすると、洗面化粧台に接して邪魔になることがあるから、被装着者の腰の高さに合わせて、適宜な長さとしておくのが良い。  
【発明の効果】
【００１８】
本発明に係る洗髪用シートによれば、貫通孔２の周縁が被装着者のうなじから耳の下を通って額に至る顔周りの肌に密着するから、前屈みになって洗髪しても、貫通孔２の周縁から洗浄水が漏れ出ることはない。また、後頭部に掛けられた洗浄水は、背中側の第１土手部３とその両脇の第２土手部４に遮られて、貫通孔２周りのシート部分６を伝って流れ落ちるから、服や袖を濡らすことはない。さらに、顔の前面には、バリアーとなるシート部分５が垂れているから、額に流れる洗浄水を下方に導いて顔が濡れるのを防止することができる。したがって、顔、首回り、服等が濡れない洗髪用シートを市場に提供することができる。
【図面の簡単な説明】
【００１９】
【図１】洗髪用シートの構成を説明する説明図。
【図２】洗髪用シートを形成する前の展開平面図。
【図３】洗髪用シートの真中の角部を端から巻いて第１土手部を形成する説明図。
【図４】洗髪用シートの左右の角部を互いに連結して第２土手部を形成する説明図。
【図５】洗髪用シートの一実施形態に係るシート状態の外観展開斜視図。
【図６】図５のシートの上部角部を折り畳んで第１土手部を形成する途中の説明図。
【図７】図６の折り畳んだ第１土手部を紐で綴じた状態の説明図。
【図８】図６の貫通孔に頭部を通して被ったときの被装着者の正面視イラスト。
【図９】図８の側面視イラスト。
【図１０】図８の背面視イラスト。
【図１１】図８の洗髪用シートの貫通孔から顔を露出させた状態の説明図。
【図１２】左右の第２土手部を互いに結び合わせて洗髪するときの状態のイラスト。
【図１３】図２を側面から見た状態のイラスト。
【図１４】図２を側面から見た状態の他のイラスト。
【図１５】貫通孔から顔を露出させたときの頭頂部から洗髪用シートを俯瞰したときの貫通孔周りのイラスト。
【図１６】貫通孔に複数の切れ目を入れた状態の平面図。
【図１７】貫通孔の一実施形態の説明図。
【発明を実施するための形態】
【００２０】
以下、本発明の一実施形態を、図面を参照しながら説明する。なお、以下に示す実施形態は、本発明の技術的範囲を限定するものではない。
【００２１】
図５は、五角形のポリエチレンシートで構成した洗髪用シート１の展開斜視図を示す。この図に示す洗髪用シート１は、一辺が略９０ｃｍの正方形のポリエチレンシートから、一つの角部を切除して五角形にしたもので、真中の上部角部Ｋ２を通る中心線ＣＬで線対称に形成している。
【００２２】
また、中心線ＣＬに対し、対称位置にある左右方向の角部Ｋ１，Ｋ３には、長さが略１５ｃｍの紐７をそれぞれ取り付け、両角部Ｋ１，Ｋ３を通る対角線より下方の中心線ＣＬ上には、被装着者の頭部が辛うじて通る長円形の貫通孔２を形成している。この貫通孔２の周囲長は、略３８ｃｍである。また、その貫通孔２より略２０ｃｍ上方の中心線ＣＬ上には、中心線ＣＬに沿う方向に伸びる略１５ｃｍの紐８を取り付け、この紐８でもって、角部Ｋ２を貫通孔２に向けて緩く巻いたときに形成される第１土手部３を保持するようにしている。
【００２３】
具体的には、紐８の両端部に両面接着テープを貼り付け、貼り付けた一方の端部は、貫通孔２の周縁から略２０ｃｍ離れた洗髪用シート１の表面に貼り付けて固定端８ａとし、他方の自由端８ｂには、剥離シートを付けたままにしておく。そして、図６、図７に示すように、中央の角部Ｋ２を貫通孔２に向けて緩く巻き、巻いた部分の端が紐８の固定端８ａに到達すると、紐８の自由端８ｂから剥離シートを剥がして洗髪用シート１の裏面に貼り付けて、第１土手部３を形成している。また、この紐８の代わりに、接着テープを使って第１土手部３を押さえつけないように、ふんわりと固定しても良い。
【００２４】
この第１土手部３は、平坦なシート面から２〜３ｃｍ程度の高さとするが、シート面と共に柔軟に変形するものでなければならない。それは、第１土手部３がしなやかに変形しないと、洗髪するときの両肩や二の腕の動きによって、第１土手部３が傾き、それによって洗浄水が第１土手部３を乗り越え易くなるからである。そのため、この実施形態では、図６、図７に示すように、角部Ｋ２を端から緩く巻くことによって第１土手部３を形成している。ただし、これに代え、角部Ｋ２に波状の皺を複数形成し、それらを貫通孔２に向けて寄せることによって、第１土手部３を形成しても良い。
【００２５】
また、こうした方法に代えて、貫通孔２から所定距離離れた周囲に、図１、図２に示すような平面視馬蹄形のトンネル状の第１土手部３と、それに連なる第２土手部４を予め形成し、その中に細くて柔らかいスポンジを収納しても良いし、薄手の細長いポリエチレンシートを捻じって紐状にしたものをトンネル内に収納して、捻じったシートが元のシート状に解けることによって、トンネル内が膨らむようにしても良い。
【００２６】
こうして第１土手部が形成されると、次に、両サイドの角部Ｋ１，Ｋ３の紐７を互いに結んで、貫通孔２を含むシート１全体をＵ字状に湾曲させる。これにより、第１土手部３の両脇がＵ字状に立ち上がり、立ち上がったシート面の内壁が第２土手部４として作用する。ただし、両サイドの紐７を結ぶ時期は、貫通孔２に頭部を通してからでも良い。
【００２７】
次に、第１土手部３を後側に向け、貫通孔２に頭部を通して、図８〜図１０に示すように、洗髪用シート１をケープのように被る。このとき、貫通孔２は、頭部が辛うじて通る大きさなので、紐７の付いたシート１の両サイドを下方へ引っ張って頭部を無理やり挿入する。これにより、貫通孔２は、伸びるが、その後若干縮む。なお、図８〜図１０では、両サイドの紐７を結ぶ前の状態を示している。
【００２８】
続いて、図１１に示すように、胸部に垂れるシート部分５を掴んで持ち上げ、貫通孔２から顔を露出させる。このとき、貫通孔２の周縁が頭髪まで行き過ぎないように注意を払う。具体的には、貫通孔２の周縁が、耳の下に位置し、且つ眉毛の上部が少し露出した時点で顔の露出を止める。これにより、貫通孔２の周縁が薄くなりながらさらに伸びて、被装着者のうなじから耳の下を通って額に至る顔周りの肌に密着する。この状態では、第１土手部３が背中に位置し、第２土手部４が両肩から二の腕に位置するが、この状態で両サイドの紐７を結ぶと、結んだ紐７が額から垂れるシート部分５より内側に来ないように、紐７を外側に配置しておく。この状態で前屈みになると、図１２〜図１４に示すような状態になる。
【００２９】
これらの図１２〜図１４からも判るように、貫通孔２から上側に頭髪を露出させた状態で、第１土手部３とそれに繋がる第２土手部４とが、頭髪を囲む。しかも、図１４に示すように、持ち上げた二の腕によって第２土手部４が立ち上がるから、洗髪した洗浄水は、貫通孔２回りのシート部分６から前側のシート部分５を伝って流れ落ちる。
【００３０】
これにより、衣服や顔を濡らさずに洗髪することができる。この状態の洗髪用シート１を被装着者の頭頂部側から俯瞰すると、概ね図１５に示すような状態になるから、肌に密着した貫通孔２の周縁から洗浄水が漏れ出るようなことはない。
【００３１】
ところで、前側のシート部分５を持ち上げて貫通孔２から顔を露出させるときは、貫通孔２のうなじに接する後側周縁部分が支点となって貫通孔２の前側周縁部分が持ち上げられるから、支点となる貫通孔２の後側周縁部分は、伸びて紐状になり易い。これに対し、持ち上げられる貫通孔２の前側周縁部分は、図１１に示すように、顔で押し広げられて平面的に伸びながら顔周りの肌に密着する。そのため、うなじから耳の下を通って揉み上げに至る被装着者の頭髪回りの部分に窪みがある場合、例えば痩せた人や、顎の関節部分が発達した人の場合には、例えば耳たぶの後側の窪み部分から漏水することがある。
【００３２】
そうした場合は、貫通孔２を小さく形成して、締め付け力を高めても良いが、図１６に示すように、少し小さめの貫通孔２に、被装着者のうなじから耳の下を通る貫通孔２の後側周縁部分２ａに深さ略１ｃｍ〜２ｃｍ程度の複数の切れ目２０を入れておくのも良い。図１６では、４箇所に切れ目２０を入れたが、その数は、適宜に増やすことができる。そうすれば、貫通孔２に頭部を通すときに、切れ目２０と切れ目２０の間の、拘束されていない周縁部分２１が、一点鎖線で示す折れ線２２で折れて肌に貼り付くようになる。その結果、拘束されていない周縁部分２１が、耳たぶの後側の窪み部分に貼り付いて、その窪み部分からの漏水を遮断する。
【００３３】
また、貫通孔２の形状を、図１７に示すように、うなじに接する後側周縁部分２ａの横幅Ｌ３を長くし、額に接する前側周縁部分２ｂの横幅Ｌ４を短くしておけば、額への密着性を増加させることができる。それは、貫通孔２から顔を露出させるときに、後側周縁部分２ａが、前述のように、紐状に周縁方向に伸びるのに対し、前側周縁部分２ｂが、図１１に示すように、平面的に広がって伸びるから、前側周縁部分２ｂの横幅Ｌ４の方を短く形成しておけば、前側周縁部分２ｂが、より広がって、顔周りの肌に密着するようになるからである。
【００３４】
以上、本発明の一実施形態を説明したが、本発明は、この実施形態に限定されるものではなく、他の形態も採用可能である。例えば、図５〜図７に示す形状の洗髪用シート１では、一度装着すると、貫通孔２が伸びるために、繰り返し使用することが困難になる。そこで、図１、図２に示すような形状の厚手のシートに、周囲長が大きい貫通孔を開け、そこに頭部が辛うじて通る小さな貫通孔２を開けた薄いゴム製のシートや、薄いポリエチレンシートを、互いの貫通孔が同軸上で合わさるように、繰り返し着脱できるように粘着剤を介して貼り合わせておくと、前者のゴム製シートの場合は、それを繰り返し使用することができ、後者のポリエチレンシートの場合は、貫通孔の部分を取り換えて繰り返し使用することができる。これにより、プラスチックごみを減らすことができる。
【符号の説明】
【００３５】
１        洗髪用シート
２        貫通孔
３        第１土手部
４        第２土手部
５        シート部分（バリアー）
６        シート部分（流路）
７        紐
８        紐
２０        切れ目
【図１】
0006865513.tif 000002
【図２】
0006865513.tif 000003
【図３】
0006865513.tif 000004
【図４】
0006865513.tif 000005
【図５】
0006865513.tif 000006
【図６】
0006865513.tif 000007
【図７】
0006865513.tif 000008
【図８】
0006865513.tif 000009
【図９】
0006865513.tif 000010
【図１０】
0006865513.tif 000011
【図１１】
0006865513.tif 000012
【図１２】
0006865513.tif 000013
【図１３】
0006865513.tif 000014
【図１４】
0006865513.tif 000015
【図１５】
0006865513.tif 000016
【図１６】
0006865513.tif 000017
【図１７】
0006865513.tif 000018